(57)【要約】  【課題】  光ディスクを裏返すことなく、レーザビームの照射によりレーベル面に正確、且つ、明瞭な可視画像を高速に形成することができる光ディスク装置を提供する。  【解決手段】  レーザビームＬ１をＤＶＤ５０の記録色素膜５２に、レーザビームＬ２を可視光特性変化層５５に集光させる対物レンズ３２と、レーザビームＬ２についての対物レンズ３２のＮＡ（開口数）を小さくする色フィルタアパーチャ４１とを有しレーザビームＬ１の反射光に基づく受光信号を出力する光ピックアップ１０と、前記受光信号に基づいてレーザビームのフォーカス制御及びトラッキング制御を行うサーボ回路１５と、レーベル印刷を行う際に、光ピックアップ１０からレーザビームＬ１を出射させるとともに印刷する画像データに基づいてレーザビームＬ２を出射させるように制御する制御部１７を備える。【選択図】      図４
2006134423.tif 000002
【特許請求の範囲】
【請求項１】
所定のピッチでグルーブが形成され第１のレーザビームが照射されることにより情報の
記録がなされる情報記録層と、第１のレーザビームとは異なる波長帯域の第２のレーザビ
ームが照射されることにより可視画像が形成されるレーベル層と、前記情報記録層とレー
ベル層との間に設けられ第１のレーザビームについての反射率が第２のレーザビームにつ
いての反射率よりも高い二色性反射膜とを備えた光ディスクに対して、第１、第２のレー
ザビームを前記情報記録層側から照射することにより情報の記録と可視画像の形成とを行
う光ディスク装置であって、
第１のレーザビームを出射する第１のレーザダイオードと、第１のレーザダイオードを
駆動する第１のレーザダイオードドライバと、第２のレーザビームを出射する第２のレー
ザダイオードと、第２のレーザダイオードを駆動する第２のレーザダイオードドライバと
、第１のレーザビームを前記情報記録層に集光させるとともに第２のレーザビームを前記
レーベル層に集光させる対物レンズと、波長選択性を有し前記レーベル層における第２の
レーザビームのスポットでの中心強度の１／ｅ2となる径が前記グルーブの前記所定のピ
ッチよりも大きくなるように第２のレーザビームについての前記対物レンズの開口数を変
化させる色フィルタアパーチャと、前記対物レンズを前記光ディスクの径方向に駆動する
トラッキングアクチュエータと、前記対物レンズを光軸方向に駆動するフォーカスアクチ
ュエータと、第１のレーザビームの前記二色性反射膜からの反射光を受光し受光した反射
光に基づく受光信号を出力する受光素子とを有する光ピックアップと、
前記受光信号に含まれる前記グルーブの位置情報に基づいて前記トラッキングアクチュ
エータを駆動して前記光ディスクに照射されるレーザビームのトラッキング制御を行うと
ともに、前記受光信号に含まれる前記情報記録層における第１のレーザビームの焦点情報
に基づいて前記フォーカスアクチュエータを駆動して前記光ディスクに照射されるレーザ
ビームのフォーカス制御を行うサーボ回路と、
前記光ディスクに可視画像を形成する際に、第１のレーザダイオードドライバを駆動す
るとともに、形成する可視画像の画像データに基づいて第２のレーザダイオードドライバ
を駆動する制御部と、
を備えたことを特徴とする光ディスク装置。
【請求項２】
第１のレーザビームが照射されることにより情報の再生または記録がなされ第１のレー
ザビームとは異なる波長帯域の第２のレーザビームが照射されることにより可視画像が形
成される光ディスクに対して、第１、第２のレーザビームを前記光ディスクの情報の再生
または記録がなされる面側から照射することにより情報の再生または記録と可視画像の形
成とを行う光ディスク装置であって、
第１、第２のレーザビームを出射するレーザビーム出射部と、出射された第１、第２の
レーザビームを前記光ディスクに集光させる対物レンズと、第２のレーザビームについて
の前記対物レンズの開口数を第１のレーザビームについての前記対物レンズの開口数より
も低い値に変化させる開口数変化部とを有する光ピックアップを備えたことを特徴とする
光ディスク装置。
【請求項３】
前記開口数変化部が、液晶フィルタ、または、波長選択性を有する色フィルタアパーチ
ャであることを特徴とする請求項２に記載の光ディスク装置。
【請求項４】
所定のピッチでグルーブが形成され第１のレーザビームが照射されることにより情報の
記録がなされる情報記録層と、第１のレーザビームとは異なる波長帯域の第２のレーザビ
ームが照射されることにより可視画像が形成されるレーベル層と、前記情報記録層とレー
ベル層との間に設けられ第１のレーザビームについての反射率が第２のレーザビームにつ
いての反射率よりも高い二色性反射膜とを備えた光ディスクに対して、第１、第２のレー
ザビームを前記情報記録層側から照射することにより情報の記録と可視画像の形成とを行
う光ディスク装置であって、
第１、第２のレーザビームを出射し、出射される第１のレーザビームを前記情報記録層
に集光させるとともに出射される第２のレーザビームを前記レーベル層におけるスポット
での中心強度の１／ｅ2となる径が前記グルーブの前記所定のピッチよりも大きくなるよ
うに前記レーベル層に集光させ、第１のレーザビームの前記二色性反射膜からの反射光を
受光し受光した反射光に基づく受光信号を出力する光ピックアップと、
前記受光信号に含まれる前記グルーブの位置情報に基づいて前記光ピックアップを操作
して前記光ディスクに照射されるレーザビームのトラッキング制御を行うとともに、前記
受光信号に含まれる前記情報記録層における第１のレーザビームの焦点情報に基づいて前
記光ピックアップを操作して前記光ディスクに照射されるレーザビームのフォーカス制御
を行うサーボ回路と、
前記光ディスクに可視画像を形成する際に、前記光ピックアップから第１のレーザビー
ムを出射させるとともに、形成する可視画像の画像データに基づいて第２のレーザビーム
を出射させるように制御する制御部と、
を備えたことを特徴とする光ディスク装置。
【請求項５】
前記光ピックアップは、
第１のレーザビームを出射する第１のレーザダイオードと、
第１のレーザダイオードを駆動する第１のレーザダイオードドライバと、
第２のレーザビームを出射する第２のレーザダイオードと、
第２のレーザダイオードを駆動する第２のレーザダイオードドライバと、
第１のレーザビームを前記光ディスクの情報記録層に集光させるとともに第２のレーザ
ビームを前記光ディスクのレーベル層に集光させる対物レンズと、
波長選択性を有し前記レーベル層における第２のレーザビームのスポットでの中心強度
の１／ｅ2となる径が前記グルーブの前記所定のピッチよりも大きくなるように第２のレ
ーザビームについての前記対物レンズの開口数を変化させる色フィルタアパーチャと、
前記対物レンズを前記光ディスクの径方向に駆動するトラッキングアクチュエータと、
前記対物レンズを光軸方向に駆動するフォーカスアクチュエータと、
第１のレーザビームの前記光ディスクの二色性反射膜からの反射光を受光し受光した反
射光に基づく受光信号を出力する受光素子と、
を有することを特徴とする請求項４に記載の光ディスク装置。
【請求項６】
前記サーボ回路は、前記受光信号に含まれる前記グルーブの位置情報に基づいて前記ト
ラッキングアクチュエータを駆動して前記光ディスクに照射されるレーザビームのトラッ
キング制御を行うとともに、前記受光信号に含まれる前記情報記録層における第１のレー
ザビームの焦点情報に基づいて前記フォーカスアクチュエータを駆動して前記光ディスク
に照射されるレーザビームのフォーカス制御を行うことを特徴とする請求項５に記載の光
ディスク装置。
【請求項７】
前記制御部は、前記光ディスクに可視画像を形成する際に、第１のレーザダイオードド
ライバを駆動するとともに前記可視画像の画像データに基づいて第２のレーザダイオード
ドライバを駆動することを特徴とする請求項５または請求項６に記載の光ディスク装置。
【発明の詳細な説明】
【技術分野】
【０００１】
本発明は、光ディスク装置に関し、特に、光ディスクに対して、レーザビームを照射す
ることにより情報の再生または記録と可視画像の形成とを行うことができる光ディスク装
置に関するものである。
【背景技術】
【０００２】
従来から、ＣＤ（Compact Disk：コンパクトディスク）やＤＶＤ（Digital Versatile 
Disk：デジタルバーサタイルディスク）等の光ディスクに対してレーザビームを照射する
ことにより、その光ディスクに記録されている音楽情報や動画情報等の情報を再生したり
、そのような情報をその光ディスクに記録したりする光ディスク装置が提供されている。
【０００３】
そのような光ディスク装置で光ディスクに情報の記録を行った場合、その記録した内容
が外観で認識できれば便利であるため、ユーザは専用のプリンタ装置を用いて、その光デ
ィスクに記録した内容を示す文字等（例えば、曲名や映画タイトル等）を円形のシートに
印刷し、このシートをその光ディスクの記録面と反対の面（以下、レーベル面という）に
貼り付けるというようなことを行っていた。
【０００４】
しかしながら、この方法では、ユーザは、専用のプリンタ装置を用意する必要があり、
また、その専用プリンタ装置でのシートの印刷、印刷されたシートの光ディスクへの貼り
付け等の煩雑な作業を行う必要もあった。
【０００５】
そこで、近年、再生時や記録時に光ディスクの記録面に照射されるレーザビームを光デ
ィスクのレーベル面となる所定領域に照射し、照射した部分の発色等を変化させることに
より、光ディスクの記録内容を可視的に認識するための可視画像（例えば、曲名や映画タ
イトル等を示す文字等）を形成（印刷）することができる光ディスク装置が提供されるよ
うになってきている（例えば、特許文献１、特許文献２参照）。
【０００６】
また、光ディスクにおける反射率の大きい領域に対してテストレーザ照射を行い、その
ときに実行したフォーカス制御内容に基づいてフォーカス制御内容を決定してメモリに記
憶し、その記憶したフォーカス制御内容に基づいてフォーカス制御を行うようにした光デ
ィスク装置もある（例えば、特許文献３参照）。
【０００７】
また、グルーブ部とランド部とが交互に形成された溝連続体からなる微細パターンを有
する支持体と、前記微細パターン上に形成され情報を記録するための記録層とを有する情
報記録担体であって、前記微細パターンを前記記録層を再生する再生光の波長と対物レン
ズの開口数とに基づいて形成した情報記録担体がある（例えば、特許文献４参照）。
【特許文献１】特開２００３−２０３３４８号公報
【特許文献２】特開２００４−５８４６号公報
【特許文献３】特開２００３−２４２６６９号公報
【特許文献４】特開２００４−４６９１０号公報
【発明の開示】
【発明が解決しようとする課題】
【０００８】
しかしながら、特許文献１に記載の従来の光ディスク記録装置を用いても、ユーザは依
然として煩雑な作業を行う必要があった。即ち、ユーザは、情報記録する際には、光ディ
スクの記録面側にレーザビームが照射されるように光ディスクを装置に装着し、光ディス
クのレーベル面に可視画像を印刷する際には、光ディスクのレーベル面側にレーザビーム
が照射されるように光ディスクを裏返して再装着するという煩雑な作業を行う必要があっ
た。
【０００９】
これに対し、特許文献２に記載の従来の光ディスク記録装置では、光ディスクの一方の
面からレーザ光を照射することにより情報記録と可視画像形成とを行えるので、レーベル
印刷時に光ディスクを裏返して再装着するという煩雑な作業を行う必要はなくなるが、可
視画像を形成するために変色層に照射するレーザ光のフォーカス制御やトラッキング制御
を行うために、その変色層からの反射光を必要とする。従って、可視画像形成を効率良く
行うために、照射されるレーザ光に対する変色層の変色効率を高めると、変色層からの反
射光が減少するので、変色層に照射するレーザ光のフォーカス制御やトラッキング制御が
行えなくなり、正確な画像を形成することができなくなるという問題があった。
【００１０】
さらに、これに対し、特許文献３に記載の従来の光ディスク装置では、光ディスクから
の反射光が十分得られない領域に対してレーザ光を照射する場合であっても、より正確な
フォーカス制御を行えるとしているが、テストレーザ照射により記憶したフォーカス制御
内容に従ったフォーカス制御では、光ディスクの面振れに追従した正確なフォーカス制御
を行うことはできない。
【００１１】
また、レーザ光を照射してレーベル印刷を行う従来の光ディスク装置では、光ディスク
のレーベル面に所定のピッチで形成されたグルーブに沿ってレーザ光が照射されて画像形
成されるが、その際、照射されるレーザ光のスポットでの中心強度の１／ｅ2となる径が
そのグルーブのピッチよりも小さいと、形成された画像が櫛状になり、明瞭に印刷できな
いという問題があった。また、画像形成に時間がかかるという問題もあった。
【００１２】
これに対し、特許文献１〜３には、レーベル面に照射するレーザ光のスポット径をフォ
ーカス制御により大きくする方法が示されているが、フォーカス制御によりレーザ光のス
ポット径を大きくすると、レーベル面での反射光が減少するので正確にフォーカス制御及
びトラッキング制御が行えなくなり、正確な画像を形成することができなくなるという問
題があった。
【００１３】
また、特許文献４に記載の従来技術は、光ディスクの記録面への情報記録の際のクロス
イレースを防止するためのものであり、この従来技術は、光ディスクのレーベル面に正確
、且つ、明瞭な画像を印刷するために適用できるものではない。
【００１４】
本発明は、上記の問題点を解決するためになされたもので、光ディスクのレーベル印刷
を行う際に光ディスクを裏返して装着するという煩雑な作業を行う必要がなく、レーザビ
ームを照射することにより光ディスクのレーベル面に、正確、且つ、明瞭な可視画像を高
速に形成することができる光ディスク装置を提供することを目的とする。
【課題を解決するための手段】
【００１５】
上記目的を達成するために、請求項１の発明は、所定のピッチでグルーブが形成され第
１のレーザビームが照射されることにより情報の記録がなされる情報記録層と、第１のレ
ーザビームとは異なる波長帯域の第２のレーザビームが照射されることにより可視画像が
形成されるレーベル層と、前記情報記録層とレーベル層との間に設けられ第１のレーザビ
ームについての反射率が第２のレーザビームについての反射率よりも高い二色性反射膜と
を備えた光ディスクに対して、第１、第２のレーザビームを前記情報記録層側から照射す
ることにより情報の記録と可視画像の形成とを行う光ディスク装置であって、第１のレー
ザビームを出射する第１のレーザダイオードと、第１のレーザダイオードを駆動する第１
のレーザダイオードドライバと、第２のレーザビームを出射する第２のレーザダイオード
と、第２のレーザダイオードを駆動する第２のレーザダイオードドライバと、第１のレー
ザビームを前記情報記録層に集光させるとともに第２のレーザビームを前記レーベル層に
集光させる対物レンズと、波長選択性を有し前記レーベル層における第２のレーザビーム
のスポットでの中心強度の１／ｅ2となる径が前記グルーブの前記所定のピッチよりも大
きくなるように第２のレーザビームについての前記対物レンズの開口数を変化させる色フ
ィルタアパーチャと、前記対物レンズを前記光ディスクの径方向に駆動するトラッキング
アクチュエータと、前記対物レンズを光軸方向に駆動するフォーカスアクチュエータと、
第１のレーザビームの前記二色性反射膜からの反射光を受光し受光した反射光に基づく受
光信号を出力する受光素子とを有する光ピックアップと、前記受光信号に含まれる前記グ
ルーブの位置情報に基づいて前記トラッキングアクチュエータを駆動して前記光ディスク
に照射されるレーザビームのトラッキング制御を行うとともに、前記受光信号に含まれる
前記情報記録層における第１のレーザビームの焦点情報に基づいて前記フォーカスアクチ
ュエータを駆動して前記光ディスクに照射されるレーザビームのフォーカス制御を行うサ
ーボ回路と、前記光ディスクに可視画像を形成する際に、第１のレーザダイオードドライ
バを駆動するとともに、形成する可視画像の画像データに基づいて第２のレーザダイオー
ドドライバを駆動する制御部とを備えたことを特徴とする光ディスク装置を提供する。
【００１６】
この構成によれば、光ディスクに可視画像を形成する際には、制御部が第１のレーザダ
イオードドライバを駆動することにより、第１のレーザダイオードから第１のレーザビー
ムが照射され対物レンズを介して光ディスクの情報記録層に集光される。尚、このとき、
照射された第１のレーザビームは二色性反射膜で反射されるので、可視光特性変化層に影
響を及ぼすことはない。
【００１７】
また、このとき、制御部が、形成する可視画像の画像データに基づいて第２のレーザダ
イオードドライバを駆動することにより、第２のレーザダイオードから第２のレーザビー
ムが照射され対物レンズを介して光ディスクのレーベル層に集光される。これにより、光
ディスクのレーベル層に画像の形成がなされる。尚、このとき、照射された第２のレーザ
ビームは二色性反射膜を透過してレーベル層に到達する。
【００１８】
そして、このとき、サーボ回路により、照射された第１のレーザビームの二色性反射膜
からの反射光に基づく受光信号に含まれる光ディスクのグルーブの位置情報に基づいて対
物レンズを駆動するトラッキングアクチュエータが駆動され光ディスクに照射されるレー
ザビームのトラッキング制御が行われる。さらに、同時に、サーボ回路により、前記受光
信号に含まれる光ディスクの情報記録層における第１のレーザビームの焦点情報に基づい
て対物レンズを駆動するフォーカスアクチュエータが駆動され光ディスクに照射されるレ
ーザビームのフォーカス制御が行われる。これにより、第１、第２のレーザビームは同じ
対物レンズにより集光されることから、第１、第２のレーザビームの両方ともにトラッキ
ング制御及びフォーカス制御がなされることになる。
【００１９】
さらに、このとき、レーベル層における第２のレーザビームのスポットでの中心強度の
１／ｅ2となる径は、波長選択性を有し第２のレーザビームについての対物レンズの開口
数を変化させる色フィルタアパーチャにより、光ディスクの情報記録層に形成されたグル
ーブの所定のピッチよりも大きくなる。レーベル層に照射される第２のレーザビームは、
サーボ回路により光ディスクの情報記録層に形成されたグルーブに基づいてトラッキング
されるので、光ディスクの径方向の第２のレーザビームの照射ピッチは、前記グルーブの
前記所定のピッチが最低ピッチとなる。従って、第２のレーザビームのスポットでの中心
強度の１／ｅ2となる径が光ディスクの径方向の照射ピッチの最低ピッチよりも大きいの
で、第２のレーザビームの照射により形成される画像を光ディスクの径方向で連続させる
ことができる。これにより、画像が櫛状になるようなことがなくなり、明瞭な画像をレー
ベル印刷することが可能となる。また、高速に画像を形成することも可能となる。
【００２０】
請求項２の発明は、第１のレーザビームが照射されることにより情報の再生または記録
がなされ第１のレーザビームとは異なる波長帯域の第２のレーザビームが照射されること
により可視画像が形成される光ディスクに対して、第１、第２のレーザビームを前記光デ
ィスクの情報の再生または記録がなされる面側から照射することにより情報の再生または
記録と可視画像の形成とを行う光ディスク装置であって、第１、第２のレーザビームを出
射するレーザビーム出射部と、出射された第１、第２のレーザビームを前記光ディスクに
集光させる対物レンズと、第２のレーザビームについての前記対物レンズの開口数を第１
のレーザビームについての前記対物レンズの開口数よりも低い値に変化させる開口数変化
部とを有する光ピックアップを備えたことを特徴とする光ディスク装置を提供する。
【００２１】
この構成によれば、前記光ピックアップから第１のレーザビームを出射させることによ
り、出射された第１のレーザビームが光ディスクに集光され、光ディスクに対して情報の
再生または記録を行うことが可能となる。また、前記光ピックアップから第２のレーザビ
ームを出射させることにより、出射された第２のレーザビームが光ディスクに集光され、
光ディスクに対して可視画像の形成を行うことが可能となる。
【００２２】
また、前記開口数変化部により第２のレーザビームについての前記対物レンズの開口数
は第１のレーザビームについての前記対物レンズの開口数よりも低い値となっているので
、光ディスクに集光される第２のレーザビームのスポットでの中心強度の１／ｅ2となる
径は、光ディスクに集光される第１のレーザビームのスポットでの中心強度の１／ｅ2と
なる径よりも大きくなる。従って、可視画像の形成を行う場合に、高速に画像を形成する
ことが可能となる。
【００２３】
請求項３の発明は、請求項２の発明において、前記開口数変化部が、液晶フィルタ、ま
たは、波長選択性を有する色フィルタアパーチャであることを特徴としている。このよう
にすれば、前記対物レンズの開口数を容易に変化させることができる。
【００２４】
請求項４の発明は、所定のピッチでグルーブが形成され第１のレーザビームが照射され
ることにより情報の記録がなされる情報記録層と、第１のレーザビームとは異なる波長帯
域の第２のレーザビームが照射されることにより可視画像が形成されるレーベル層と、前
記情報記録層とレーベル層との間に設けられ第１のレーザビームについての反射率が第２
のレーザビームについての反射率よりも高い二色性反射膜とを備えた光ディスクに対して
、第１、第２のレーザビームを前記情報記録層側から照射することにより情報の記録と可
視画像の形成とを行う光ディスク装置であって、第１、第２のレーザビームを出射し、出
射される第１のレーザビームを前記情報記録層に集光させるとともに出射される第２のレ
ーザビームを前記レーベル層におけるスポットでの中心強度の１／ｅ2となる径が前記グ
ルーブの前記所定のピッチよりも大きくなるように前記レーベル層に集光させ、第１のレ
ーザビームの前記二色性反射膜からの反射光を受光し受光した反射光に基づく受光信号を
出力する光ピックアップと、前記受光信号に含まれる前記グルーブの位置情報に基づいて
前記光ピックアップを操作して前記光ディスクに照射されるレーザビームのトラッキング
制御を行うとともに、前記受光信号に含まれる前記情報記録層における第１のレーザビー
ムの焦点情報に基づいて前記光ピックアップを操作して前記光ディスクに照射されるレー
ザビームのフォーカス制御を行うサーボ回路と、前記光ディスクに可視画像を形成する際
に、前記光ピックアップから第１のレーザビームを出射させるとともに、形成する可視画
像の画像データに基づいて第２のレーザビームを出射させるように制御する制御部とを備
えたことを特徴とする光ディスク装置を提供する。
【００２５】
この構成によれば、光ディスクに可視画像を形成する際には、制御部は光ピックアップ
から第１のレーザビームを出射させ、出射された第１のレーザビームは前記光ピックアッ
プにより光ディスクの情報記録層に集光される。尚、このとき、照射された第１のレーザ
ビームは二色性反射膜で反射されるので、可視光特性変化層に影響を及ぼすことはない。
【００２６】
また、このとき、制御部は形成する可視画像の画像データに基づいて前記光ピックアッ
プから第２のレーザビームを出射させ、出射された第２のレーザビームは前記光ピックア
ップにより光ディスクのレーベル層に集光される。これにより、光ディスクのレーベル層
に画像の形成がなされる。尚、このとき、照射された第２のレーザビームは二色性反射膜
を透過してレーベル層に到達する。
【００２７】
そして、このとき、サーボ回路により、照射された第１のレーザビームの二色性反射膜
からの反射光に基づく受光信号に含まれる光ディスクのグルーブの位置情報に基づいて光
ピックアップが操作され光ディスクに照射されるレーザビームのトラッキング制御が行わ
れる。さらに、同時に、サーボ回路により、前記受光信号に含まれる光ディスクの情報記
録層における第１のレーザビームの焦点情報に基づいて光ピックアップが操作され光ディ
スクに照射されるレーザビームのフォーカス制御が行われる。これにより、第１、第２の
レーザビームは同じ光ピックアップにより集光されることから、第１、第２のレーザビー
ムの両方ともにトラッキング制御及びフォーカス制御がなされることになる。
【００２８】
さらに、このとき、レーベル層における第２のレーザビームのスポットでの中心強度の
１／ｅ2となる径は、前記光ピックアップにより、光ディスクの情報記録層に形成された
グルーブの所定のピッチよりも大きくなる。レーベル層に照射される第２のレーザビーム
は、サーボ回路により光ディスクの情報記録層に形成されたグルーブに基づいてトラッキ
ングされるので、光ディスクの径方向の第２のレーザビームの照射ピッチは、前記グルー
ブの前記所定のピッチが最低ピッチとなる。従って、第２のレーザビームのスポットでの
中心強度の１／ｅ2となる径が光ディスクの径方向の照射ピッチの最低ピッチよりも大き
いので、第２のレーザビームの照射により形成される画像を光ディスクの径方向で連続さ
せることができる。これにより、画像が櫛状になるようなことがなくなり、明瞭な画像を
レーベル印刷することが可能となる。また、高速に画像を形成することも可能となる。
【００２９】
請求項５の発明では、請求項４の発明において、前記光ピックアップは、第１のレーザ
ビームを出射する第１のレーザダイオードと、第１のレーザダイオードを駆動する第１の
レーザダイオードドライバと、第２のレーザビームを出射する第２のレーザダイオードと
、第２のレーザダイオードを駆動する第２のレーザダイオードドライバと、第１のレーザ
ビームを前記光ディスクの情報記録層に集光させるとともに第２のレーザビームを前記光
ディスクのレーベル層に集光させる対物レンズと、波長選択性を有し前記レーベル層にお
ける第２のレーザビームのスポットでの中心強度の１／ｅ2となる径が前記グルーブの前
記所定のピッチよりも大きくなるように第２のレーザビームについての前記対物レンズの
開口数を変化させる色フィルタアパーチャと、前記対物レンズを前記光ディスクの径方向
に駆動するトラッキングアクチュエータと、前記対物レンズを光軸方向に駆動するフォー
カスアクチュエータと、第１のレーザビームの前記光ディスクの二色性反射膜からの反射
光を受光し受光した反射光に基づく受光信号を出力する受光素子とを有するようにしてい
る。
【００３０】
請求項６の発明では、請求項５の発明において、前記サーボ回路は、前記受光信号に含
まれる前記グルーブの位置情報に基づいて前記トラッキングアクチュエータを駆動して前
記光ディスクに照射されるレーザビームのトラッキング制御を行うとともに、前記受光信
号に含まれる前記光ディスクに照射された第１のレーザビームの焦点情報に基づいて前記
フォーカスアクチュエータを駆動して前記光ディスクに照射されるレーザビームのフォー
カス制御を行うようにしている。
【００３１】
請求項７の発明では、請求項５または請求項６の発明において、前記制御部は、前記情
報記録データに基づいて第１のレーザダイオードドライバを駆動するとともに、前記画像
データに基づいて第２のレーザダイオードドライバを駆動するようにしている。
【発明の効果】
【００３２】
以上のように本発明によれば、第２のレーザビームについての対物レンズの開口数を第
１のレーザビームについての前記対物レンズの開口数よりも低い値に変化させる開口数変
化部を有する光ピックアップを備えたので、光ディスクに集光される第２のレーザビーム
のスポットでの中心強度の１／ｅ2となる径は、光ディスクに集光される第１のレーザビ
ームのスポットでの中心強度の１／ｅ2となる径よりも大きくなり、光ディスクに可視画
像の形成を行う場合、高速に画像を形成することが可能となる。
【００３３】
また、本発明によれば、光ディスクに対して光ピックアップから第１のレーザビームを
照射することにより情報の再生または記録を行うことができ、また、光ディスクに対して
光ピックアップから第２のレーザビームを前記光ディスクの情報の再生または記録がなさ
れる面側から照射して可視画像の形成、即ち、レーベル印刷を行うことができる光ディス
ク装置が実現できるので、レーベル印刷を行うために、ユーザが、専用のプリンタ装置を
用意したり、情報が記録されている光ディスクに別途印刷したレーベルシートを貼ったり
、或いは、光ディスクを裏返して再度、装置に装着したりするような煩雑な作業をする必
要がなくなる。
【００３４】
また、可視画像の形成、即ち、レーベル印刷を行う際には、形成する可視画像の画像デ
ータに基づいて第２のレーザビームを照射するだけでなく、第１のレーザビームも照射し
、サーボ回路が照射された第１のレーザビームの前記光ディスクからの反射光に基づく受
光信号に基づいて光ピックアップを操作することにより前記光ディスクに照射されるレー
ザビームのフォーカス制御及びトラッキング制御が行われる。これにより、第１、第２の
レーザビームは同じ光ピックアップにより集光されることから、第１、第２のレーザビー
ムの両方ともにトラッキング制御及びフォーカス制御がなされることになるので、光ディ
スクのレーベル面に可視画像を効率良く、且つ、正確に形成することができる光ディスク
装置が実現できる。
【００３５】
さらに、レーベル層における第２のレーザビームのスポットでの中心強度の１／ｅ2と
なる径は、波長選択性を有し第２のレーザビームについての対物レンズの開口数を変化さ
せる色フィルタアパーチャにより、光ディスクの情報記録層に形成されたグルーブの所定
のピッチよりも大きくなり、レーベル層に照射される第２のレーザビームは、上述したよ
うに、サーボ回路により光ディスクの情報記録層に形成されたグルーブに基づいてトラッ
キングされるので、光ディスクの径方向の第２のレーザビームの照射ピッチは、前記グル
ーブの前記所定のピッチが最低ピッチとなる。従って、第２のレーザビームのスポットで
の中心強度の１／ｅ2となる径が光ディスクの径方向の照射ピッチの最低ピッチよりも大
きいので、第２のレーザビームの照射により形成される画像を光ディスクの径方向で連続
させることができる。これにより、光ディスクの径方向に連続した画像を高速に形成する
ことが可能となるので、光ディスクのレーベル面に可視画像を明瞭、且つ、高速に形成す
ることができる光ディスク装置が実現できる。
【発明を実施するための最良の形態】
【００３６】
以下、添付図面を参照しつつ、本発明の実施形態について説明するが、先ず、本実施形
態に係る光ディスク装置が対象とする光ディスクの構成について説明し、その後、本実施
形態に係る光ディスク装置の構成及び動作等について説明する。
【００３７】
図１は、本実施形態で想定した光ディスクの構造を示す側断面図である。ここでは、光
ディスクとして、ＣＤの再生及び／または記録機能を付随したＤＶＤの再生及び／または
記録を行う光ディスク装置を用いて、ＤＶＤ情報の再生及び／または記録が可能であると
ともに、ＣＤについてのレーザビームを照射することによりレーベル印刷を行うことを可
能にしたＤＶＤを想定する。
【００３８】
図１に示すＤＶＤ５０は、その厚みＴを１．２ｍｍとされ、また、基板５１、情報記録
層となる記録色素膜５２、色フィルタ（二色性反射膜）５３、レーベル層となる可視光特
性変化層５５、及び、基板５４が、順に積層されて構成されている。尚、色フィルタ５３
と可視光特性変化層５５との間には、色フィルタ５３と可視光特性変化層５５とを貼り合
わせるための接着剤等から成る透明中間層５６が存在している。また、図１はＤＶＤ５０
の構造を模式的に示しており、各層の形状、寸法比率等はこの図に示される通りではない
。
【００３９】
これらの各層のうち、記録色素膜５２の上には所定のピッチ（トラックピッチ＝約０．
７４μｍ）で螺旋状にグルーブ５２ａが形成されており、ＤＶＤ５０に情報記録をする際
には、このグルーブ５２ａ上にレーザビームが集光されるように制御（フォーカス制御）
されるとともに、このグルーブ５２ａに沿ってレーザビームが照射されるように制御（ト
ラッキング制御）され、グルーブ５２ａ上に記録データ長に対応するピットが形成される
。
【００４０】
また、ＤＶＤ５０に記録されている情報を再生する際にも、同様に、このグルーブ５２
ａ上にレーザビームが集光されるように制御（フォーカス制御）されるとともに、このグ
ルーブ５２ａに沿ってレーザビームが照射されるように制御（トラッキング制御）され、
このときにＤＶＤ５０から反射されるそのレーザビームの反射光の信号を復調して、記録
されている情報の再生が行われる。
【００４１】
基板５１、５４は、例えば、ポリカーボネイト樹脂から成る。
【００４２】
また、色フィルタ５３は、Ｚｎｓ、ＳｉＯ２、ＳｉＮ等の誘電体膜またはそれらの積層
膜から形成された二色性反射膜から構成されている。色フィルタ５３は、積層膜によって
構成された方が単層の膜によって構成されるよりも所望の二色性を大きくできるため、好
ましい。
【００４３】
尚、色フィルタ５３は、誘電体膜から成る二色性反射膜に限らず、以下の化学式（化１
）として示すような構造を有するシアニン色素ＮＫ−６７（日本感光色素研究所製）等の
色素によって構成されても良い。
【００４４】
【化１】
2006134423.tif 000003
【００４５】
図２に、上記したようなシアニン色素の光学的特性として、当該シアニン色素の吸光度
及び屈折率を示す。
【００４６】
図２を参照して、上記したようなシアニン色素は、波長５５０ｎｍ近傍に吸光度の極大
を有している。そして、当該吸光度が低下し始める６５０ｎｍ近傍の領域で、屈折率が極
大値を示している。尚、このシアニン色素の屈折率の極大値は３．０程度である。従って
、色フィルタ５３は、その膜厚を最適化され、かつ薄膜化されることにより、波長６５０
ｎｍ近傍において高い反射率を呈することができる。また、シアニン色素は、ＣＤプレー
ヤにおいて情報を再生させる際に利用される光の波長である７８０ｎｍ近傍の光をほとん
ど吸収しないことから、色フィルタ５３は、高い透過率を示す。
【００４７】
尚、本実施の形態において色フィルタ５３を構成する層は、少なくともＤＶＤの記録に
利用される帯域（６３０ｎｍ〜６９０ｎｍ帯域）の反射率が、ＣＤの再生に利用される帯
域（７７０ｎｍ〜８００ｎｍ帯域）の反射率よりも高い層によって構成される。尚、色フ
ィルタ５３を構成する層は、ＤＶＤの記録に利用される帯域の屈折率が、当該帯域で３０
％以上の反射率を与えるような値を有し、また、ＣＤの再生に利用される帯域の透過率が
９０％以上である層によって構成されることが好ましい。
【００４８】
本実施の形態のＤＶＤ５０においてレーベル層となる可視光特性変化層５５は、所定の
帯域の光（例えば、波長７８０ｎｍの赤外光）を照射されることにより、照射された部位
のみ局部的に変色（または変形）する材料から成り、例えば、高分子膜から構成される。
高分子膜としては、例えば、感光材や感熱材等のように、光や熱を与えられることにより
色の変化（例えば、白色から黒等の有色への、または、透明から黒等の有色不透明への変
化）がある材料の層（感光層、感熱層等）など、所定のパワー以上の集光されたレーザビ
ームを照射されることによって、当該照射された箇所の基板５４からの可視光特性が変化
する材料から成る層が挙げられる。ここで言う可視光特性としては、視認される色につい
ての、色相、明度、及び、彩度や、吸光特性、反射率、透過率、光散乱等が考えられる。
【００４９】
また、本実施形態のＤＶＤ５０の可視光特性変化層５５は、その吸光度が前記所定の帯
域の光の波長で最大となる特性を有する材料で構成されているので、照射される前記所定
の帯域の光をほとんど吸光する。即ち、照射される前記所定の帯域の光が反射することは
ほとんど無く、また、照射される前記所定の帯域の光のエネルギーがほぼすべて、照射さ
れた部位を変色（または変形）させるエネルギーとして用いられることになり、エネルギ
ーを無駄にすることがなく、効率良くレーベル印刷を行うことができる。
【００５０】
また、この可視光特性変化層５５には、画像形成のために照射されるレーザビームを案
内するためのグルーブは形成されていない。従って、可視光特性変化層にグルーブを形成
するための製造工程やその工程で使用される金型等が不要となるので、ＤＶＤ５０の製造
コストは可視光特性変化層にグルーブが形成されているものよりも低減することになる。
【００５１】
ＤＶＤ５０は、上記のような各層を備えるよう製造されるのであれば、製造方法を問う
ものではないが、例えば、基板５１上に記録色素膜５２及び色フィルタ５３を蒸着させた
ものと、基板５４上に可視光特性変化層５５を蒸着させたものとを、色フィルタ５３側に
可視光特性変化層５５側を対抗させて透明中間層５６を構成する接着剤等で貼り合わせる
ことにより製造することができる。尚、透明中間層５６は透明であることが好ましい。
【００５２】
次に、上述したＤＶＤ５０にレーベル印刷を行うことのできる光ディスク装置を説明す
る。図３は、本実施形態に係る光ディスク装置の構成を示すブロック図である。図３に示
す光ディスク装置は、ＣＤの再生及び／または記録機能を付随したＤＶＤの再生及び／ま
たは記録を行う光ディスク装置である。
【００５３】
図３に示すように、光ディスク装置１００は、バックエンドであるパーソナルコンピュ
ータ（ＰＣ）１１０に接続されており、光ピックアップ１０、フロントエンドプロセッサ
（ＦＥＰ）１３、レーザパワーコントロール（ＬＰＣ）回路１４ａ、１４ｂ、サーボ回路
１５、モータ駆動回路１６、制御部１７、ステッピングモータ１８、ドライバ１９、モー
タコントローラ２０、スピンドルモータ２１を備えている。
【００５４】
スピンドルモータ２１は、データを記録再生する対象となるＤＶＤ５０を回転駆動する
ためのモータであり、モータ駆動回路１６によりその回転数が制御される。モータ駆動回
路１６には、制御部１７からの指示信号、及び、スピンドルモータ２１またはスピンドル
モータ２１に設けられたセンサ等からフィードバックされるスピンドルモータ２１の回転
数に応じた周波数のパルス信号が供給され、モータ駆動回路１６は、これらの供給される
信号に基づいてスピンドルモータ２１の回転制御を行う。尚、スピンドルモータ２１の回
転駆動方式には、ＤＶＤ５０を角速度一定で回転駆動する方式（ＣＡＶ方式：Constant A
ngular Velocity）や、一定の記録線速度となるようにＤＶＤ５０を回転駆動する方式（
ＣＬＶ方式：Constant Linear Velocity）があるが、いずれを用いるようにしてもよい。
【００５５】
光ピックアップ１０は、スピンドルモータ２１により回転駆動されるＤＶＤ５０に対し
てレーザビームを照射するユニットである。
【００５６】
図４に光ピックアップ１０の構成を示す。図４に示すように、光ピックアップ１０は、
ＤＶＤの再生または記録用に使用される波長６６０ｎｍの赤色光であるレーザビームＬ１
を出射するレーザダイオード３７ａと、ＣＤの再生または記録用及びレーベル印刷用に使
用される波長７８０ｎｍの赤外光であるレーザビームＬ２を出射するレーザダイオード３
７ｂと、レーザダイオード３７ａを駆動するレーザダイオードドライバ（ＬＤＤ）１１ａ
と、レーザダイオード３７ｂを駆動するレーザダイオードドライバ（ＬＤＤ）１１ｂと、
レーザビームＬ１、Ｌ２をＤＶＤ５０（記録色素膜５２や可視光特性変化層５５）に集光
させるための光学系４０と、反射光を受光する受光素子３６と、受光素子３６からの受光
信号を増幅するヘッドアンプ（ＨＡ）１２とを備えている。
【００５７】
ＬＤＤ１１ａは、図３に示す制御部１７からの指示信号と、ＬＰＣ回路１４ａからの制
御信号に従ってレーザダイオード３７ａを駆動し、ＬＤＤ１１ｂは、制御部１７からの指
示信号と、ＬＰＣ回路１４ｂからの制御信号に従ってレーザダイオード３７ｂを駆動する
。
【００５８】
レーザダイオード３７ａは、ＬＤＤ１１ａから駆動電流が供給されると、該駆動電流に
応じた強度のレーザビームＬ１を出射する。そして、レーザダイオード５３ａより出射さ
れたレーザビームＬ１は回折格子３８ａにより主ビームと２つの副ビーム（先行ビーム、
後行ビーム）に分離され、これら３つのレーザビームＬ１は偏光ビームスプリッタ３９ａ
、３９ｂ、コリメータレンズ３０、１／４波長板３１、色フィルタアパーチャ４１、対物
レンズ３２を経て、図５に示すように、ＤＶＤ５０の記録面である記録色素膜５２に集光
される。
【００５９】
このレーザビームＬ１は、ＤＶＤ５０の色フィルタ５３において反射されるので、記録
色素膜５２に対する情報の再生または記録のために照射されるレーザビームＬ１が、可視
光特性変化層５５に対して、画像形成として意図しない画像を形成してしまうなどの悪影
響を及ぼすことを回避することができる。
【００６０】
そして、ＤＶＤ５０の色フィルタ５３で反射された３つのレーザビームＬ１は、再び、
対物レンズ３２、色フィルタアパーチャ４１、１／４波長板３１、コリメータレンズ３０
、偏光ビームスプリッタ３９ｂを透過し、偏向ビームスプリッタ３９ａで反射されて、シ
リンドリカルレンズ３３を経て、受光素子３６に入射するようになっている。
【００６１】
そして、受光素子５６は、受光した信号をヘッドアンプ１２に出力し、該受光信号がヘ
ッドアンプ１２で増幅されて図３に示すＦＥＰ１３やサーボ回路１５に供給されるように
なっている。ＦＥＰ１３は、所定の変調が施されているこの受光信号を復調して制御部１
７に供給する。
【００６２】
また、サーボ回路１５には、この受光信号に含まれる、トラッキング制御に使用される
グルーブ５２ａの位置情報や、フォーカス制御に使用される記録色素膜５２に集光してい
るレーザビームＬ１の焦点に関する情報（焦点情報）が供給されることになる。このトラ
ッキング制御、フォーカス制御については詳細を後述する。
【００６３】
一方、レーザダイオード３７ｂは、ＬＤＤ１１ｂから駆動電流が供給されると、該駆動
電流に応じた強度のレーザビームＬ２を出射する。そして、レーザダイオード５３ｂより
出射されたレーザビームＬ２は回折格子３８ｂにより主ビームと２つの副ビーム（先行ビ
ーム、後行ビーム）に分離され、これら３つのレーザビームＬ２は偏光ビームスプリッタ
３９ｂ、コリメータレンズ３０、１／４波長板３１、色フィルタアパーチャ４１、対物レ
ンズ３２を経て、図５に示すように、ＤＶＤ５０のレーベル面である可視光特性変化層５
５に集光される。
【００６４】
ここで、色フィルタアパーチャ４１は、ＤＶＤ５０の色フィルタ５３のような二色性反
射膜である。但し、色フィルタアパーチャ４１の二色性反射特性は、色フィルタ５３の二
色性反射特性とは異なり、波長７８０ｎｍ近傍において高い反射率を有し、波長６５０ｎ
ｍ近傍においては高い透過性を有している。従って、色フィルタアパーチャ４１に入射し
たレーザビームＬ１（波長６５０ｎｍ）は、ほとんどすべてが色フィルタアパーチャ４１
を透過して対物レンズ３２に入射するが、色フィルタアパーチャ４１に入射したレーザビ
ームＬ２（波長７８０ｎｍ）は、一部が色フィルタアパーチャ４１で反射され、残りの一
部が対物レンズ３２に入射することになる。
【００６５】
即ち、レーザビームＬ２についての対物レンズ３２の有効径は、レーザビームＬ１につ
いての対物レンズ３２の有効径よりも小さくなることになり、換言すれば、レーザビーム
Ｌ２についての対物レンズ３２のＮＡ（Numerical Aperture：開口数）は、レーザビーム
Ｌ１についての対物レンズ３２のＮＡよりも小さくなることになる。これにより、レーザ
ビームＬ１は記録色素膜５２に集光され、レーザビームＬ２は記録色素膜５２よりも奥に
位置する可視光特性変化層５５に集光される。
【００６６】
レーザビームＬ１についての対物レンズ３２のＮＡは約０．６５に設定されている。こ
れは、記録色素膜５２に集光されるレーザビームＬ１のスポットでの中心強度の１／ｅ2
となる径（以下、レーザビームのスポットでの中心強度の１／ｅ2となる径を、単にスポ
ット径という）が、ＤＶＤのトラックピッチ（約０．７４μｍ）に合わせた大きさになる
ようにするためである。尚、集光されるレーザビームのスポット径は、波長に比例しＮＡ
に反比例する。
【００６７】
一方、レーザビームＬ２についての対物レンズ３２のＮＡは、色フィルタアパーチャ４
１によって、対物レンズ３２をレーザビームＬ２が透過する径、即ち、対物レンズ３２の
有効径を小さくすることにより、約０．１に設定されている。これは、可視光特性変化層
５５に集光されるレーザビームＬ２のスポット径が、少なくともＤＶＤのトラックピッチ
（約０．７４μｍ）、即ち、記録色素層５２に形成されているグルーブのピッチよりも大
きい、数μｍになるようにするためである。この理由については、後述する。
【００６８】
尚、色フィルタアパーチャ４１は、光ディスク装置１００で、装着された光ディスクが
ＣＤであり、そのＣＤの再生または記録を行う場合には無効となるようになっている。従
って、その場合には、レーザビームＬ２についての対物レンズ３２のＮＡは０．１よりも
大きい値になり、ＣＤの記録面に集光されるレーザビームＬ２のスポット径は、ＣＤのト
ラックピッチ（約１．６μｍ）に合わせた大きさになる。
【００６９】
また、色フィルタアパーチャ４１の代わりに、液晶フィルタを用いても良い。液晶フィ
ルタであっても、色フィルタアパーチャ４１と同様にレーザビームＬ２についての対物レ
ンズ３２のＮＡを変化させてレーベル層に照射されるレーザビームＬ２のスポット径を大
きくすることができる。但し、液晶フィルタには色フィルタアパーチャ４１のような波長
選択性は無いので、液晶フィルタを有効としたときには、レーザビームＬ２のみならず、
レーザビームＬ１についての対物レンズ３２のＮＡも変化させてしまう。従って、液晶フ
ィルタは、後述するようにレーザビームＬ１、Ｌ２を同時に照射してレーベル印刷する場
合には用いることはできず、レーザビームＬ２のみを照射してレーベル印刷する場合の使
用に限定される。
【００７０】
また、上述したように、可視光特性変化層５５は、赤外光をほとんど吸光する特性を有
しているので、可視光特性変化層５５に照射されたレーザビームＬ２が反射することはほ
とんど無く、また、可視光特性変化層５５に照射されたレーザビームＬ２のエネルギーは
、ほぼすべて、照射された部位を変色（または変形）させるエネルギーとして用いられる
ことになる。
【００７１】
また、光ピックアップ１０は、図示しない２つのフロントモニタダイオードを有してお
り、レーザダイオード３７ａ、３７ｂがレーザビームを出射しているときに、それぞれの
出射光を受光した各フロントモニタダイオードに電流が生じ、その各電流が図３に示すＬ
ＰＣ回路１４ａ、１４ｂに供給されるようになっている。そして、ＬＰＣ回路１４ａ、１
４ｂは、それぞれ、制御部１７によって指示される最適レーザパワーの目標値と一致する
値のレーザパワーがレーザダイオード３７ａ、３７ｂから出射されるようにＬＤＤ１１ａ
、１１ｂを制御する。ここで行われるＬＰＣ回路１４ａ、１４ｂによるレーザパワー制御
は、前記フロントモニタダイオードから供給される電流値を用い、目標となる強度のレー
ザビームがレーザダイオード３７ａ、３７ｂから照射されるように制御するフィードバッ
ク制御である。
【００７２】
対物レンズ３２は、フォーカスアクチュエータ３４及びトラッキングアクチュエータ３
５に保持されており、レーザビームＬ１、Ｌ２の光軸方向及びＤＶＤ５０の径方向に移動
できるようになっている。フォーカスアクチュエータ３４及びトラッキングアクチュエー
タ３５の各々は、サーボ回路１５から供給されるフォーカスエラー（ＦＥ）信号及びトラ
ッキングエラー（ＴＥ）信号に応じて対物レンズ３２を光軸方向および径方向に移動させ
る。
【００７３】
サーボ回路１５は、ヘッドアンプ１２から供給される増幅された受光信号に基づいてＦ
Ｅ信号及びＴＥ信号を生成し、それらをフォーカスアクチュエータ３４及びトラッキング
アクチュエータ３５に与えることでフォーカス制御及びトラッキング制御を行う。
【００７４】
ここで、光ピックアップ１０から出射されＤＶＤ５０に照射される上述した３つのレー
ザビームＬ１は、主ビームのスポット中心がＤＶＤ５０の１つのグルーブ５２ａ（図１参
照）の中心に位置したときに、一方の副ビームのスポットがそのグルーブ５２ａの内側面
に、他方の副ビームのスポットがそのグルーブ５２ａの外側面にそれぞれかかるような位
置関係にある。
【００７５】
そのため、サーボ回路１５は、ヘッドアンプ１２から与えられる受光信号を用いて、受
光素子３６で検出される２つの副ビームの反射光の強度の差分を演算することにより、主
ビームが目標とするグルーブ５２ａの中心に対して内側／外側のどちら側にどれだけズレ
ているのか、即ち、トラッキングエラー量を知ることができる。そして、サーボ回路１５
は、そのトラッキングエラー量をゼロにするためのＴＥ信号を生成し、そのＴＥ信号でト
ラッキングアクチュエータ３５を制御することで、ＤＶＤ５０が偏心回転しても、主ビー
ムを目標とするグルーブ５２ａの中心に正確にトレースさせることができる（トラッキン
グ制御）。尚、このトラッキング制御は、上述した３ビーム方式以外に、位相差方式（１
ビームトラッキング方式）で行うようにしても良い。
【００７６】
また、受光素子３６は、図６に示すように、実際には検出エリアが４つのエリアａ、ｂ
、ｃ、ｄに分割されており、受光素子３６に結像されるレーザビームＬ１の主ビームは、
シリンドリカルレンズ３３によって、対物レンズ３２がＤＶＤ５０に近い状態であれば縦
楕円Ａになり、遠い状態であれば横楕円Ｂになり、ピントが合った状態であれば円形Ｃに
なる。
【００７７】
このため、４つのエリアａ、ｂ、ｃ、ｄの受光強度を（ａ＋ｃ）−（ｂ＋ｄ）という演
算式で演算し、求めた演算結果から、対物レンズ３２がＤＶＤ５０に対してピントが合っ
た状態から近い側／遠い側のどちら側にどれだけズレているのか、即ち、フォーカスエラ
ー量を知ることができる。そして、サーボ回路１５は、そのフォーカスエラー量を所定の
値にするためのＦＥ信号を生成し、そのＦＥ信号でトラッキングアクチュエータ３５を制
御することで、ＤＶＤ５０が回転時に面振れを起こしても、主ビームのピントをＤＶＤ５
０上に正確に合わせることができる（フォーカス制御）。
【００７８】
図３に戻り、ステッピングモータ１８は、セットされたＤＶＤ５０の径方向に光ピック
アップ１０を移動させるためのモータである。モータドライバ１９は、モータコントロー
ラ２０から供給されるパルス信号に応じた量だけステッピングモータ１８を回転駆動する
。モータコントローラ２０は、制御部１７から指示される光ピックアップ１０の径方向へ
の移動方向および移動量を含む移動開始指示にしたがって、移動量や移動方向に応じたパ
ルス信号を生成し、モータドライバ１９に出力する。即ち、ステッピングモータ１８が光
ピックアップ１０をＤＶＤ５０の径方向に移動させること、及び、スピンドルモータ２１
がＤＶＤ５０を回転させることにより、光ピックアップ１０のレーザビーム照射位置をＤ
ＶＤ５０の様々な位置に移動させることができる。
【００７９】
また、制御部１７は、ＣＰＵ（Central Processing Unit）、ＲＯＭ（Read Only Memor
y）、ＲＡＭ（Random Access Memory）、バッファメモリ等（いずれも不図示）を備えて
おり、ＣＰＵは、ＲＯＭに格納されたファームウェア（プログラム）にしたがって当該光
ディスク装置１００の装置各部を制御し、ＤＶＤ５０に対する再生または記録のための各
種処理、及び、レーベル印刷のための各種処理、また、ＣＤが装着された場合は、そのＣ
Ｄに対する再生または記録のための各種処理を中枢的に制御している。尚、ＲＡＭは各種
処理時のワークメモリとして使用される。
【００８０】
制御部１７は、再生時には、光ピックアップ１０から再生レベルのレーザビームを出射
させるためにＬＤＤ１１ａ、ＬＰＣ１４ａ（装着された光ディスクがＣＤの場合は、ＬＤ
Ｄ１１ｂ、ＬＰＣ１４ｂ）に指示信号を与える。再生レベルとは、上述したサーボ回路１
５によるフォーカス制御及びトラッキング制御のために必要な反射光が得られる照射パワ
ーのレベルを言い、この再生レベルのレーザビームでは、ＤＶＤ５０の記録色素膜５２に
記録されている情報（ピット）を読み取ることはできるが、記録色素膜５２への情報記録
を行うことはできない。そして、ＤＶＤ５０の記録色素膜５２から読み出されＦＥＰ１３
で復調された音楽データ等の各種データをバックエンドであるＰＣ１１０へ送信し、ＰＣ
１００の各種再生手段でそのデータが再生される。
【００８１】
一方、記録時には、ＤＶＤ５０に対して記録する記録用データが、バックエンドである
ＰＣ１１０から送信され、制御部１７内のバッファメモリに蓄積される。この記録用デー
タには、ＤＶＤ５０の記録色素膜５２に記録する音楽データや映像データ等の情報記録デ
ータと、レーベル印刷を行うための画像データとがある。この画像データとは、円盤状の
光ディスクの面上に可視画像を形成するためのデータであり、ＰＣ１１０に入力、または
ＰＣ１１０で生成された光ディスクのレーベル面に形成する画像のビットマップデータを
極座標形式のデータに変換したものであり、光ディスクの中心点を中心とする多数の同心
円上の複数の各座標点毎にその点の階調度（濃淡）を示す情報が記述されているデータで
ある。
【００８２】
そして、制御部１７はこのバッファメモリに蓄積された記録用データに基づいて、光ピ
ックアップ１０から記録レベルのレーザビームを出射させるためにＬＤＤ１１ａ、ＬＰＣ
１４ａ、及び／または、ＬＤＤ１１ｂ、ＬＰＣ１４ｂに指示信号を与え、ＤＶＤ５０の記
録色素膜５２に情報の記録を行ったり、可視光特性変化層５５に画像形成を行ったりする
。記録レベルとは、レーザビームＬ１の場合は、記録色素膜５２に情報（ピット）を書き
込む照射パワーのレベルを言い、レーザビームＬ２の場合は、可視光特性変化層５５を変
色（または変形）等させて画像を形成する照射パワーのレベルを言う。
【００８３】
次に、このような構成の光ディスク装置１００のＤＶＤ５０へのレーベル印刷動作を、
図７に示すフローチャートを参照して説明する。
【００８４】
先ず、光ディスク装置１００にＤＶＤ５０がセットされ、ユーザがＰＣ１１０を操作す
ることにより、セットしたＤＶＤ５０へのレーベル印刷開始指示がＰＣ１１０から制御部
１７へ与えられる（ステップＳ１）。このとき、レーベル印刷する画像の画像データもＰ
Ｃ１１０から制御部１７へ与えられ、制御部１７は、与えられた画像データを制御部１７
内のバッファメモリに蓄積する。
【００８５】
次に、制御部１７は、モータ駆動回路１６を制御して、スピンドルモータ２１によりＤ
ＶＤ５０を所定速度で回転させる（ステップＳ２）。
【００８６】
次に、制御部１７は、ＬＤＤ１１ａ、ＬＰＣ１４ａに指示信号を与え、光ピックアップ
１０から再生レベルのレーザビームＬ１をＤＶＤ５０へ照射する（ステップＳ３）。そし
て、これ以後、レーザビームＬ１が照射されているときには、照射されたレーザビームＬ
１のＤＶＤ５０の色フィルタ５３からの反射光の信号であるヘッドアンプ１２からの受光
信号に基づいて、上述したサーボ回路１５によるフォーカス制御及びトラッキング制御が
行われる。
【００８７】
次に、制御部１７は、バッファメモリに蓄積されている画像データに基づいて、モータ
コントローラ２０に移動開始指示を与え、画像形成のためのレーザ照射を行う位置へ光ピ
ックアップ１０を移動させる（ステップＳ４）。
【００８８】
そして、制御部１７は、光ピックアップ１０がバッファメモリに蓄積されている画像デ
ータに基づくレーザ照射位置に到達したときに、ＬＤＤ１１ｂ、ＬＰＣ１４ｂに指示信号
を与え、光ピックアップ１０から画像データに応じて記録レベルのレーザビームＬ２をそ
の画像データに応じてＤＶＤ５０へ照射させる（ステップＳ５）。尚、このときのレーザ
ビームＬ２の照射パワーは、画像データに含まれる階調度（濃淡）に応じて決められる。
これにより、可視光特性変化膜５５に画像が形成される。
【００８９】
このとき、ＤＶＤ５０の可視光特性変化層５５上に照射されるレーザビームＬ２は、照
射されている再生レベルのレーザビームＬ１の反射光に基づいて対物レンズ３２がサーボ
回路１５によりフォーカス制御及びトラッキング制御されているので、可視光特性変化層
５５上の画像データを形成すべき座標点に正確に位置合わせ及びピント調整されている。
【００９０】
即ち、ＤＶＤ５０の可視光特性変化層５５には、フォーカス制御及びトラッキング制御
のためのグルーブが設けられておらず、また、画像形成のために照射するレーザビームＬ
２に関しては、その反射光に基づくフォーカス制御及びトラッキング制御を行うことなく
、可視光特性変化層５５上の所望の位置に正確にレーザビームＬ２が照射される。これに
より、ＤＶＤ５０のレーベル面に所望の画像を正確に形成することができる。
【００９１】
さらに、このとき、ＤＶＤ５０の可視光特性変化層５５上に照射されるレーザビームＬ
２は、そのエネルギーのほぼすべてが照射された部位を変色（または変形）させるエネル
ギーとして用いられることになるので、エネルギーを無駄にすることがなく、効率良く画
像形成を行うことができる。これにより、高速で画像形成することが可能になる。換言す
れば、同じ画像形成時間であれば、より分解能を上げた画像形成を行うことができる。ま
た、レーザビームＬ２が可視光特性変化層５５で反射されることがないので、レーザビー
ムＬ２がレーザビームＬ１の反射光に基づく制御の迷光となることがなく、安定した制御
を行うことができる。
【００９２】
また、このとき、可視光特性変化層５５上に照射されるレーザビームＬ２のスポット径
は、上述したように、レーザビームＬ２についての対物レンズ３２のＮＡが色フィルタア
パーチャ４１によって約０．１になっていることにより、数μｍの大きさになっている。
レーザビームＬ２は、上述したように、照射されている再生レベルのレーザビームＬ１の
反射光に含まれるグルーブの位置情報に基づいてトラッキング制御されているので、レー
ザビームＬ２の照射されるＤＶＤ５０の径方向の照射ピッチは、記録色素層５２に形成さ
れているグルーブのピッチ（約０．７４μｍ）が最低ピッチとなる。従って、レーザビー
ムＬ２のスポット径がＤＶＤ５０の径方向の照射ピッチの最低ピッチよりも大きいので、
レーザビームＬ２の照射により形成される画像をＤＶＤ５０の径方向で連続させることが
できる。即ち、これにより、従来の光ディスク装置のレーザビーム照射によって形成され
た画像のように櫛状になるようなことがなくなり、明瞭な画像をレーベル印刷することが
可能となる。
【００９３】
また、可視光特性変化層５５上に照射されるレーザビームＬ２のスポット径が大きいと
いうことは、レーザビームＬ２の１度の照射で形成される画像の面積が大きいということ
でもあるので、画像形成にかかる時間を短縮することができる。即ち、高速にレーベル印
刷することが可能となる。尚、高速レーベル印刷を行う場合は、ＤＶＤ５０の径方向のレ
ーザビームＬ２の照射位置の移動を、可視光特性変化層５５上に照射されるレーザビーム
Ｌ２のスポット径以内であって記録色素膜５２に形成されたグルーブの数ピッチ分単位で
行うようにすると良い。
【００９４】
そして、制御部１７は、バッファメモリに蓄積されている画像データのすべてに対する
レーザビームＬ２の照射による画像形成処理を行ったか否か、即ち、形成すべき画像を形
成し終えたか否かを判別し（ステップＳ６）、まだ、すべて形成し終えていないと判別し
たときは、ステップＳ４に戻り、画像形成を継続する。
【００９５】
一方、すべて形成し終えたと判別したときは（ステップＳ６）、ＬＤＤ１１ａ、ＬＰＣ
１４ａに指示信号を与え、光ピックアップ１０からのレーザビームＬ１の照射を停止する
とともに、モータ駆動回路１６を制御してモータ２１によるＤＶＤ５０の回転を停止させ
る（ステップＳ７）。以上で、レーベル印刷動作が終了する。
【００９６】
以上説明したように、本実施形態に示す光ディスク装置１００によれば、ＤＶＤ５０に
対して、本来の情報の再生または記録を行うだけでなく、レーザビームを照射することに
よりレーベル層に、正確、且つ、明瞭な可視画像を高速に形成することができる。また、
ユーザは、ＤＶＤ５０の記録面を光ピックアップ１０に対向させるようにして光ディスク
装置１００に一度セットすれば、従来の装置と同様にしてＤＶＤ５０の記録面である記録
色素膜５２に情報の記録をするだけでなく、レーベル面である可視光特性変化層５５に可
視画像を形成することができる。このためユーザは、専用のプリンタ装置を用意する必要
はなく、情報が記録されているＤＶＤに別途印刷したラベルシートを貼ったり、或いは、
レーベル印刷を行うためにＤＶＤ５０を裏返して再度セットしたりするような煩雑な作業
をする必要がなくなる。
【００９７】
また、以上説明した本実施の形態に示すＤＶＤ５０では、レーベル印刷を行う際に、レ
ーザビームＬ２のトラッキング制御及びフォーカス制御を行うために、レーザビームＬ１
を記録色素層５２に照射していたが、このレーザビームＬ１の照射は、トラッキング制御
及びフォーカス制御のためだけでなく、記録色素層５２に記録されている情報の再生、ま
たは、記録色素層５２に情報を記録するために行われるものであっても良い。即ち、レー
ベル層へのレーベル印刷と、情報記録層に対する情報の再生または記録を同時に行うよう
にすることも可能である。
【００９８】
また、以上説明した本実施の形態に示すＤＶＤ５０では、ＤＶＤ用の光源（６３０ｎｍ
〜６９０ｎｍ帯域の光源）で情報を再生または記録し、ＣＤ用光源（７７０ｎｍ〜８００
ｎｍ帯域の光源）でレーベル印刷を行う実施例を示したが、本発明は他の例にも適用する
ことが可能である。具体的には、例えば、次世代ＤＶＤの光源である４０５ｎｍ帯域のレ
ーザ光源を用いて光ディスクに対して情報を再生または記録し、そして、ＤＶＤ用の光源
でレーベル印刷を行うような例についても、本発明は適用可能である。
【００９９】
尚、今回開示された実施の形態はすべての点で例示であって制限的なものではないと考
えられるべきである。本発明の範囲は上記した説明ではなくて特許請求の範囲によって示
され、特許請求の範囲と均等の意味及び範囲内でのすべての変更が含まれることが意図さ
れる。
【図面の簡単な説明】
【０１００】
【図１】本発明の一実施形態の光ディスク装置が対象とする光ディスクの一例であるＤＶＤの構成を示す側断面図である。
【図２】図１に示すＤＶＤにおいて色フィルタの材料とされることが可能なシアニン色素の吸光度および屈折率を示す図である。
【図３】本発明の一実施形態の光ディスク装置の構成を示すブロック図である。
【図４】図３に示す光ピックアップの構成を示す図である。
【図５】図３に示す光ピックアップから出射されるレーザビームの光路を説明するための図である。
【図６】図３に示す受光素子の構成を示す図である。
【図７】図３に示す光ディスク装置のレーベル印刷動作を説明するためのフローチャートである。
【符号の説明】
【０１０１】
１０    光ピックアップ
１１ａ    レーザダイオードドライバ（ＬＤＤ、第１のレーザダイオードドライバ）
１１ｂ    レーザダイオードドライバ（ＬＤＤ、第２のレーザダイオードドライバ）
１２    ヘッドアンプ（ＨＡ）
１３    フロントエンドプロセッサ（ＦＥＰ）
１４ａ、１４ｂ    レーザパワーコントロール回路（ＬＰＣ）
１５    サーボ回路
１６    モータ駆動回路
１７    制御部
１８    ステッピングモータ
１９    ドライバ
２０    モータコントローラ
２１    スピンドルモータ
３０    コリメータレンズ
３１    １／４波長板
３２    対物レンズ
３３    シリンドリカルレンズ
３４    フォーカスアクチュエータ
３５    トラッキングアクチュエータ
３６    受光素子
３７ａ    レーザダイオード（第１のレーザダイオード）
３７ｂ    レーザダイオード（第２のレーザダイオード）
３８ａ、３８ｂ    回折格子
３９ａ、３９ｂ    偏光ビームスプリッタ
４０    光学系
４１    色フィルタアパーチャ（開口数変化部）
５０    ＤＶＤ（光ディスク）
５１、５４    基板
５２    色素記録膜（情報記録層）
５３    色フィルタ（二色性反射膜）
５５    可視光特性変化層（レーベル層）
５６    透明中間層
１００    光ディスク装置
１１０    パーソナルコンピュータ（ＰＣ、バックエンド）
Ｌ１    レーザビーム（第１のレーザビーム）
Ｌ２    レーザビーム（第２のレーザビーム）
【図１】
2006134423.tif 000004
【図２】
2006134423.tif 000005
【図３】
2006134423.tif 000006
【図４】
2006134423.tif 000007
【図５】
2006134423.tif 000008
【図６】
2006134423.tif 000009
【図７】
2006134423.tif 000010